(57)【要約】【課題】複数の解答済答案用紙の読取画像から設問ごとに集められた解答の画像が表示された画面を介して採点する際に入力される各解答に対する採点画像を各解答済答案用紙上に反映可能とすること。【解決手段】設問に対する解答が記入された解答済答案用紙が読み取られた読取画像に基づいて生成された解答済答案用紙に記入された解答の画像を設問ごとに表示する表示画面を介して入力された画像であって、解答に対する採点結果を示す画像である採点画像を取得し、取得された採点画像が入力された表示画面における解答の記入領域の位置と採点画像の位置との位置の関係を示す相対位置情報を取得し、答案用紙における前記解答の記入領域の位置を示す記入領域位置情報を取得し、取得された相対位置情報及び記入領域位置情報に基づいて、採点画像が答案用紙における解答の記入領域の位置に応じて配置された配置画像を生成することを特徴とする。【選択図】図２４
2015167001.tif 000002
【特許請求の範囲】
【請求項１】
設問に対する解答が答案用紙に記入された解答済答案用紙が読み取られた読取画像に基づいて処理を行う情報処理プログラムであって、
前記読取画像に基づいて生成された前記解答済答案用紙に記入された解答の画像を設問ごとに表示する表示画面を介して入力された画像であって、前記解答に対する採点結果を示す画像である採点画像を取得するステップと、
取得された前記採点画像が入力された前記表示画面における前記解答の記入領域の位置と前記採点画像の位置との位置の関係を示す相対位置情報を取得するステップと、
前記答案用紙における前記解答の記入領域の位置を示す記入領域位置情報を取得するステップと、
取得された前記相対位置情報及び前記記入領域位置情報に基づいて、前記採点画像が前記答案用紙における解答の記入領域の位置に応じて配置された配置画像を生成するステップと
を情報処理装置に実行させることを特徴とする情報処理プログラム。
【請求項２】
生成された前記配置画像を前記解答済答案用紙上に画像形成出力させるステップ
を情報処理装置に実行させることを特徴とする請求項１に記載の情報処理プログラム。
【請求項３】
生成された前記配置画像と前記読取画像とを重ね合わせた採点済答案用紙画像を処理するステップ
を情報処理装置に実行させることを特徴とする請求項１又は２に記載の情報処理プログラム。
【請求項４】
前記採点済答案用紙画像を処理するステップにおいて、前記採点済答案用紙画像を記録媒体上に画像形成出力させる
ことを特徴とする請求項３に記載の情報処理プログラム。
【請求項５】
前記採点済答案用紙画像を処理するステップにおいて、前記採点済答案用紙画像を表示部に表示させる
ことを特徴とする請求項３又は４に記載の情報処理プログラム。
【請求項６】
前記採点済答案用紙画像を処理するステップにおいて、前記表示部に表示された前記採点済答案用紙画像から前記採点画像を非表示にする
ことを特徴とする請求項５に記載の情報処理プログラム。
【請求項７】
設問に対する解答が答案用紙に記入された解答済答案用紙が読み取られた読取画像に基づいて処理を行う情報処理装置であって、
前記読取画像に基づいて生成された前記解答済答案用紙に記入された解答の画像を設問ごとに表示する表示画面を介して入力された画像であって、前記解答に対する採点結果を示す画像である採点画像を取得する採点画像取得部と、
取得された前記採点画像が入力された前記表示画面における前記解答の記入領域の位置と前記採点画像の位置との位置の関係を示す相対位置情報を取得する相対位置情報取得部と、
前記答案用紙における前記解答の記入領域の位置を示す記入領域位置情報を取得する記入領域位置情報取得部と、
取得された前記相対位置情報及び前記記入領域位置情報に基づいて、前記採点画像が前記答案用紙における解答の記入領域の位置に応じて配置された配置画像を生成する配置画像生成部と
を含むことを特徴とする情報処理装置。
【請求項８】
設問に対する解答が答案用紙に記入された解答済答案用紙が読み取られた読取画像に基づいて処理を行う情報処理システムであって、
前記読取画像に基づいて生成された前記解答済答案用紙に記入された解答の画像を設問ごとに表示する表示画面を介して入力された画像であって、前記解答に対する採点結果を示す画像である採点画像を取得する採点画像取得部と、
取得された前記採点画像が入力された前記表示画面における前記解答の記入領域の位置と前記採点画像の位置との位置の関係を示す相対位置情報を取得する相対位置情報取得部と、
前記答案用紙における前記解答の記入領域の位置を示す記入領域位置情報を取得する記入領域位置情報取得部と、
取得された前記相対位置情報及び前記記入領域位置情報に基づいて、前記採点画像が前記答案用紙における解答の記入領域の位置に応じて配置された配置画像を生成する配置画像生成部と
を含むことを特徴とする情報処理システム。
【請求項９】
設問に対する解答が答案用紙に記入された解答済答案用紙が読み取られた読取画像に基づいて処理を行う情報処理方法であって、
前記読取画像に基づいて生成された前記解答済答案用紙に記入された解答の画像を設問ごと表示する表示画面を介して入力された画像であって、前記解答に対する採点結果を示す画像である採点画像を取得し、
取得された前記採点画像が入力された前記表示画面における前記解答の記入領域の位置と前記採点画像の位置との位置の関係を示す相対位置情報を取得し、
前記答案用紙における前記解答の記入領域の位置を示す記入領域位置情報を取得し、
取得された前記相対位置情報及び前記記入領域位置情報に基づいて、前記採点画像が前記答案用紙における解答の記入領域の位置に応じて配置された配置画像を生成する
を含むことを特徴とする情報処理方法。
【請求項１０】
設問に対する解答が答案用紙に記入された解答済答案用紙が読み取られた読取画像に基づいて処理を行う画像処理装置であって、
前記読取画像に基づいて生成された前記解答済答案用紙に記入された解答の画像を設問ごとに表示する表示画面を介して入力された画像であって、前記解答に対する採点結果を示す画像である採点画像を取得する採点画像取得部と、
取得された前記採点画像が入力された前記表示画面における前記解答の記入領域の位置と前記採点画像の位置との位置の関係を示す相対位置情報を取得する相対位置情報取得部と、
前記答案用紙における前記解答の記入領域の位置を示す記入領域位置情報を取得する記入領域位置情報取得部と、
取得された前記相対位置情報及び前記記入領域位置情報に基づいて、前記採点画像が前記答案用紙における解答の記入領域の位置に応じて配置された配置画像を生成する配置画像生成部と
を含むことを特徴とする画像処理装置。
【請求項１１】
設問に対する解答が答案用紙に記入された解答済答案用紙が読み取られた読取画像に基づいて処理を行う情報処理プログラムと記録媒体上に画像形成出力を行う画像処理装置とを含む画像処理システムであって、
前記情報処理プログラムは、
前記読取画像に基づいて生成された前記解答済答案用紙に記入された解答の画像を設問ごとに表示する表示画面を介して入力された画像であって、前記解答に対する採点結果を示す画像である採点画像を取得するステップと、
取得された前記採点画像が入力された前記表示画面における前記解答の記入領域の位置と前記採点画像の位置との位置の関係を示す相対位置情報を取得するステップと、
前記答案用紙における前記解答の記入領域の位置を示す記入領域位置情報を取得するステップと、
取得された前記相対位置情報及び前記記入領域位置情報に基づいて、前記採点画像が前記答案用紙における解答の記入領域の位置に応じて配置された配置画像を生成するステップと
を情報処理装置に実行させる
ことを特徴とする画像処理システム。
【発明の詳細な説明】
【技術分野】
【０００１】
本発明は、情報処理プログラム、情報処理装置、情報処理システム、情報処理方法、画像処理装置及び画像処理システムに関し、特に、複数の解答済答案用紙の読取画像から設問ごとに集められた解答の画像が表示された画面を介して採点する際に入力される各解答に対する採点画像の処理に関する。
【背景技術】
【０００２】
設問に対する解答が記入された解答済答案用紙がスキャナ等で読み取られた読取画像を画面に表示して、採点者が表示された画面を介してタッチペン等を用いて電子採点を行う採点システムが知られている。このような解答済答案用紙の採点において、多数の設問から構成される試験の場合、採点者は、設問ごとに異なる多数の解答を採点しなければならないので、採点に手間がかかったり、採点ミスが発生して採点精度が落ちたりする場合がある。
【０００３】
このような問題を解決するために、採点作業を単純化し能率を上げることを目的として、複数の解答済答案用紙それぞれの読取画像から解答の画像を設問ごとに集めて表示して、採点者が表示画面を介して１つの設問に対する解答をまとめて採点し、これらの採点結果に基づいて解答済答案用紙ごとの総合結果を算出する方法が提案されている（例えば、特許文献１を参照）。
【発明の概要】
【発明が解決しようとする課題】
【０００４】
しかしながら、特許文献１に開示された技術では、解答済答案用紙の読取画像そのものが表示された画面上で採点が行われるのではなく、複数の解答済答案用紙の読取画像から設問ごとに集められた解答の画像が表示された画面上で採点が行われるので、採点時に入力された各解答に対する採点画像（例えば、タッチペンにより赤色で入力された正解を示す○印や不正解を示す×印等の採点結果を示す画像）を、各解答済答案用紙上に反映させることができない。
【０００５】
本発明は、このような課題を解決するためになされたものであり、複数の解答済答案用紙の読取画像から設問ごとに集められた解答の画像が表示された画面を介して採点する際に入力される各解答に対する採点画像を各解答済答案用紙上に反映可能とすることを目的とする。
【課題を解決するための手段】
【０００６】
上記課題を解決するために、本発明の一態様は、設問に対する解答が答案用紙に記入された解答済答案用紙が読み取られた読取画像に基づいて処理を行う情報処理プログラムであって、前記読取画像に基づいて生成された前記解答済答案用紙に記入された解答の画像を設問ごとに表示する表示画面を介して入力された画像であって、前記解答に対する採点結果を示す画像である採点画像を取得するステップと、取得された前記採点画像が入力された前記表示画面における前記解答の記入領域の位置と前記採点画像の位置との位置の関係を示す相対位置情報を取得するステップと、前記答案用紙における前記解答の記入領域の位置を示す記入領域位置情報を取得するステップと、取得された前記相対位置情報及び前記記入領域位置情報に基づいて、前記採点画像が前記答案用紙における解答の記入領域の位置に応じて配置された配置画像を生成するステップとを情報処理装置に実行させることを特徴とする。
【発明の効果】
【０００７】
本発明によれば、複数の解答済答案用紙の読取画像から設問ごとに集められた解答の画像が表示された画面を介して採点する際に入力される各解答に対する採点画像を各解答済答案用紙上に反映可能とすることができる。
【図面の簡単な説明】
【０００８】
【図１】本実施形態に係る採点システムの運用形態を示す図である。
【図２】本実施形態に係る画像処理装置、答案用紙作成用装置、採点用装置及びデータサーバのハードウェア構成を例示する図である。
【図３】本実施形態に係る画像処理装置の機能構成を示すブロック図である。
【図４】本実施形態に係る答案用紙作成用装置の機能構成を示すブロック図である。
【図５】本実施形態に係る答案用紙データを示す図である。
【図６】本実施形態に係る答案用紙データのテーブルを示す図である。
【図７】本実施形態に係る答案用紙データの記入領域を強調した図である。
【図８】本実施形態に係るレイアウト情報テーブルを示す図である。
【図９】本実施形態に係る採点用装置の機能構成を示すブロック図である。
【図１０】本実施形態に係る解答済答案用紙の読取画像を示す図である。
【図１１】本実施形態に係る採点用画面を示す図である。
【図１２】本実施形態に係る採点用画面生成部による採点用画面の生成処理を示すフローチャートである。
【図１３】本実施形態に係る採点対象のファイル名及び設問番号の入力画面を示す図である。
【図１４】本実施形態に係る読取画像情報を示す図である。
【図１５】本実施形態に係る採点画像情報取得部による採点画像の情報取得処理を示すフローチャートである。
【図１６】本実施形態に係る採点用画面を示す図である。
【図１７】本実施形態に係る採点画像を示す図である。
【図１８】本実施形態に係る採点画像を含む採点対象領域を拡大した図である。
【図１９】本実施形態に係る採点用画面を示す図である。
【図２０】本実施形態に係る採点画像情報のテーブルを示す図である。
【図２１】本実施形態に係る画像処理装置の主制御部の採点画像情報に基づく処理に関する機能構成を示すブロック図である。
【図２２】本実施形態に係る印刷画像生成部による印刷画像生成処理を示すフローチャートである。
【図２３】本実施形態に係る採点画像の配置画像を示す図である。
【図２４】本実施形態に係る印刷画像生成部による配置画像の生成処理を示すフローチャートである。
【図２５】本実施形態に係る解答済答案用紙上に採点画像が印刷された図である。
【図２６】本実施形態に係る採点済答案用紙の画像を表示する画面を示す図である。
【図２７】本実施形態に係る採点済答案用紙の画像から採点画像を非表示にした画面を示す図である。
【発明を実施するための形態】
【０００９】
以下、図面を参照して、本発明の実施形態を詳細に説明する。図１は、本実施形態に係る採点システム（情報処理システム）の運用形態を例示する図である。図１に示すように、本実施形態に係る採点システムは、画像処理装置１、答案用紙作成用装置２、採点用装置３及びデータサーバ４がインターネットやＬＡＮ（Ｌｏｃａｌ  Ａｒｅａ  Ｎｅｔｗｏｒｋ）等のネットワークを介して接続されて構成される。
【００１０】
画像処理装置１は、撮像機能、画像形成機能及び通信機能等を備えることにより、プリンタ、ファクシミリ、スキャナ、複写機として利用可能なＭＦＰ（Ｍｕｌｔｉ  Ｆｕｎｃｔｉｏｎ  Ｐｅｒｉｐｈｅｒａｌ：複合機）である。答案用紙作成用装置２は、解答者を識別するための受験番号を記入する受験番号欄や各設問の解答を記入する解答記入欄等の大きさや各記入欄のレイアウトを設定する等して各試験に応じた答案用紙を作成するためのＰＣ（Ｐｅｒｓｏｎａｌ  Ｃｏｍｐｕｔｅｒ）等の情報処理装置である。
【００１１】
採点用装置３は、設問に対する解答が記入された解答済答案用紙が画像処理装置１のスキャナ機能により読み取られた読取画像を表示させて、表示させた画面を介して電子採点を行うためのタブレット端末等の情報処理装置である。本実施形態に係る採点用装置３は、読取画像に基づいて、複数の解答済答案用紙に記入された解答の画像を設問ごとにタッチパネル等に表示させる画面を生成し、表示させた画面を介してタッチペン等により電子採点を受け付ける機能を有する。
【００１２】
データサーバ４は、答案用紙作成用装置２により作成された答案用紙データ、画像処理装置１のスキャナ機能により読み取られた読取画像、採点用装置３において表示された画面を介して行われた電子採点に関する情報等、解答済答案用紙に対する採点や本実施形態に係る採点後の処理に用いられる情報を記憶するサーバである。
【００１３】
次に、本実施形態に係る画像処理装置１、答案用紙作成用装置２、採点用装置３及びデータサーバ４のハードウェア構成について図２を参照して説明する。なお、画像処理装置１は、図２に示すハードウェア構成に加えて、スキャナ、プリンタ等を実現するためのエンジンを備える。以下の説明においては、画像処理装置１のハードウェア構成を例として説明するが、答案用紙作成用装置２、採点用装置３及びデータサーバ４についても同様である。
【００１４】
図２に示すように、本実施形態に係る画像処理装置１は、一般的なサーバやＰＣ等と同様の構成を含む。すなわち、本実施形態に係る画像処理装置１は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス８０を介して接続されている。また、Ｉ／Ｆ５０にはＬＣＤ（Ｌｉｑｕｉｄ  Ｃｒｙｓｔａｌ  Ｄｉｓｐｌａｙ）６０及び操作部７０が接続されている。
【００１５】
ＣＰＵ１０は演算手段であり、画像処理装置１全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。
【００１６】
Ｉ／Ｆ５０は、バス８０と各種のハードウェアやネットワーク等を接続し制御する。ＬＣＤ６０は、ユーザが画像処理装置１の状態を確認するための視覚的ユーザインタフェースである。操作部７０は、キーボードやマウス等、ユーザが画像処理装置１に情報を入力するためのユーザインタフェースである。なお、図１において説明したように、本実施形態に係るデータサーバ４はサーバとして運用される。したがって、ＬＣＤ６０及び操作部７０等のユーザインタフェースは省略可能である。
【００１７】
このようなハードウェア構成において、ＲＯＭ３０やＨＤＤ４０若しくは図示しない光学ディスク等の記憶媒体に格納されたプログラムがＲＡＭ２０に読み出され、ＣＰＵ１０の制御に従って動作することにより、ソフトウェア制御部が構成される。このようにして構成されたソフトウェア制御部と、ハードウェアとの組み合わせによって、本実施形態に係る画像処理装置１、答案用紙作成用装置２、採点用装置３及びデータサーバ４の機能を実現する機能ブロックが構成される。
【００１８】
次に、本実施形態に係る画像処理装置１の機能について説明する。図３は、本実施形態に係る画像処理装置１の機能構成を示すブロック図である。図３に示すように、本実施形態に係る画像処理装置１は、コントローラ１００、ＡＤＦ（Ａｕｔｏ  Ｄｏｃｕｍｅｎｎｔ  Ｆｅｅｄｅｒ：原稿自動搬送装置）１１０、スキャナユニット１１１、排紙トレイ１１２、ディスプレイパネル１１３、給紙テーブル１１４、プリントエンジン１１５、排紙トレイ１１６及びネットワークＩ／Ｆ１１７を有する。
【００１９】
また、コントローラ１００は、主制御部１３０、エンジン制御部１０１、ネットワーク制御部１０２、画像処理部１０３及び操作表示制御部１０４を有する。図３に示すように、本実施形態に係る画像処理装置１は、スキャナユニット１１１、プリントエンジン１１５を有する複合機として構成されている。なお、図３においては、電気的接続を実線の矢印で示しており、用紙の流れを破線の矢印で示している。
【００２０】
ディスプレイパネル１１３は、画像処理装置１の状態を視覚的に表示する出力インタフェースであると共に、タッチパネルとしてユーザが画像処理装置１を直接操作し若しくは画像処理装置１に対して情報を入力する際の入力インタフェース（操作部）でもある。ネットワークＩ／Ｆ１１７は、画像処理装置１がネットワークを介して管理者用端末等の他の機器と通信するためのインタフェースであり、Ｅｔｈｅｒｎｅｔ（登録商標）、ＵＳＢ等のインタフェースが用いられる。
【００２１】
コントローラ１００は、ソフトウェアとハードウェアとの組み合わせによって構成される。具体的には、ＲＯＭ３０やＨＤＤ４０等の不揮発性記憶媒体に格納されたファームウェア等の制御プログラムが、ＲＡＭ２０にロードされ、それらのプログラムに従ってＣＰＵ１０が演算を行うことにより構成されるソフトウェア制御部と集積回路などのハードウェアとによってコントローラ１００が構成される。コントローラ１００は、画像処理装置１全体を制御する制御部として機能する。
【００２２】
主制御部１３０は、コントローラ１００に含まれる各部を制御する役割を担い、コントローラ１００の各部に命令を与える。エンジン制御部１０１は、プリントエンジン１１５やスキャナユニット１１１等を制御若しくは駆動する駆動手段としての役割を担う。ネットワーク制御部１０２は、ネットワークＩ／Ｆ１１７を介して入力される信号や命令を主制御部１３０に入力する。また、主制御部１３０は、ネットワーク制御部１０２を制御し、ネットワークＩ／Ｆ１１７を介して他の装置にアクセスする。
【００２３】
画像処理部１０３は、主制御部１３０の制御に従い、印刷出力すべき画像情報に基づいて描画情報を生成する。この描画情報とは、画像形成出力部であるプリントエンジン１１５が画像形成動作において形成すべき画像を描画するための情報である。また、画像処理部１０３は、スキャナユニット１１１から入力される撮像データを処理し、画像データを生成する。この画像データとは、スキャナ動作の結果物として画像処理装置１に格納され若しくはネットワークＩ／Ｆ１１７を介して他の機器に送信される情報である。操作表示制御部１０４は、ディスプレイパネル１１３に情報表示を行い若しくはディスプレイパネル１１３を介して入力された情報を主制御部１３０に通知する。
【００２４】
画像処理装置１がプリンタとして動作する場合は、まず、ネットワーク制御部１０２が、ネットワークＩ／Ｆ１１７を介して印刷ジョブを受信する。ネットワーク制御部１０２は、受信した印刷ジョブを主制御部１３０に転送する。主制御部１３０は、印刷ジョブを受信すると、画像処理部１０３を制御して印刷ジョブに含まれる文書情報若しくは画像情報に基づいて描画情報を生成する。画像処理部１０３によって描画情報が生成されると、エンジン制御部１０１は、生成された描画情報に基づき、給紙テーブル１１４から搬送される用紙に対して画像形成を実行する。プリントエンジン１１５の具体的態様としては、インクジェット方式による画像形成機構や電子写真方式による画像形成機構等を用いることが可能である。プリントエンジン１１５によって画像形成が施された文書は排紙トレイ１１６に排紙される。
【００２５】
画像処理装置１がスキャナとして動作する場合は、ユーザによるディスプレイパネル１１３の操作若しくはネットワークＩ／Ｆ１１７を介して外部の機器から入力されるスキャン実行指示に応じて、操作表示制御部１０４若しくはネットワーク制御部１０２が主制御部１３０にスキャン実行信号を転送する。主制御部１３０は、受信したスキャン実行信号に基づき、エンジン制御部１０１を制御する。エンジン制御部１０１は、ＡＤＦ１１０を駆動し、ＡＤＦ１１０にセットされた撮像対象原稿をスキャナユニット１１１に搬送する。また、エンジン制御部１０１は、スキャナユニット１１１を駆動し、ＡＤＦ１１０から搬送される原稿を撮像する。また、ＡＤＦ１１０に原稿がセットされておらず、スキャナユニット１１１に直接原稿がセットされた場合、スキャナユニット１１１は、エンジン制御部１０１の制御に従い、セットされた原稿を撮像する。即ち、スキャナユニット１１１が撮像部として動作する。
【００２６】
撮像動作においては、スキャナユニット１１１に含まれるＣＣＤ等の撮像素子が原稿を光学的に走査し、光学情報に基づいた撮像情報が生成される。エンジン制御部１０１は、スキャナユニット１１１が生成した撮像情報を画像処理部１０３に転送する。画像処理部１０３は、主制御部１３０の制御に従い、エンジン制御部１０１から受信した撮像情報に基づき画像情報を生成する。画像処理部１０３が生成した画像情報はＨＤＤ４０等の画像処理装置１に装着された記憶媒体に保存される。画像処理部１０３によって生成された画像情報は、ユーザの指示に応じてそのままＨＤＤ４０等に格納され若しくはネットワークＩ／Ｆ１１７を介して、ネットワーク制御部１０２により外部の装置に送信される。
【００２７】
また、画像処理装置１が複写機として動作する場合は、エンジン制御部１０１がスキャナユニット１１１から受信した撮像情報若しくは画像処理部１０３が生成した画像情報に基づき、画像処理部１０３が描画情報を生成する。その描画情報に基づいてプリンタ動作の場合と同様に、エンジン制御部１０１がプリントエンジン１１５を駆動する。
【００２８】
本実施形態において、主制御部１３０は、さらに、設問ごとに解答が表示された画面を介して入力された採点画像を、各解答済答案用紙上に反映させる処理を行う機能を有する。これが、本実施形態の要旨に係る機能の１つである。この機能の詳細については後述する。
【００２９】
次に、本実施形態に係る答案用紙作成用装置２の機能について説明する。図４は、本実施形態に係る答案用紙作成用装置２の機能構成を示すブロック図である。図４に示すように、本実施形態に係る答案用紙作成用装置２は、図２において説明したＬＣＤ６０、操作部７０に加えて、コントローラ２００及びネットワークＩ／Ｆ２１０を含む。また、コントローラ２００は、ネットワーク制御部２０１、操作制御部２０２、表示制御部２０３及び答案用紙データ生成アプリケーション２０４を含む。
【００３０】
ネットワークＩ／Ｆ２１０は、答案用紙作成用装置２がネットワークを介して他の機器と通信するためのインタフェースであり、Ｅｔｈｅｒｎｅｔ（登録商標）等のインタフェースが用いられる。ネットワークＩ／Ｆ２１０は、図２に示すＩ／Ｆ５０によって実現される。
【００３１】
コントローラ２００は、ソフトウェアとハードウェアとの組み合わせによって構成される。コントローラ２００は、答案用紙作成用装置２全体を制御する制御部である。ネットワーク制御部２０１は、ネットワークＩ／Ｆ２１０を介して入力される情報を取得すると共に、ネットワークＩ／Ｆ２１０を介して他の機器に情報を送信する。
【００３２】
操作制御部２０２は、操作部７０に対するユーザによる操作内容の信号を取得し、答案用紙データ生成アプリケーション２０４等の答案用紙作成用装置２において動作するモジュールに入力する。表示制御部２０３は、答案用紙データ生成アプリケーション２０４のＧＵＩ（Ｇｒａｐｈｉｃａｌ  Ｕｓｅｒ  Ｉｎｔｅｒｆａｃｅ）等、答案用紙作成用装置２の状態をＬＣＤ６０に表示させる。
【００３３】
答案用紙データ生成アプリケーション２０４は、答案用紙作成用装置２にインストールされて動作するソフトウェア・プログラムであり、答案用紙のデータを生成・編集するためのアプリケーションである。答案作成者は、答案用紙データ生成アプリケーション２０４を起動し、ＬＣＤ６０上で答案用紙のレイアウト等を確認しながら、操作部７０を介して答案用紙データを生成・編集する。
【００３４】
図５は、答案用紙データ生成アプリケーション２０４において生成された答案用紙データを例示する図である。図５に示すように、生成された答案用紙データは、社会科の試験用であり、例えば、答案用紙に解答を記入した解答者を識別する受験番号を記入する受験番号記入欄及び各設問の解答を記入する解答記入欄から構成される。図５に示した答案用紙データにおいては、設問（本実施形態においては、問題の最小単位である小問とする）の数が１３であり、設問ごとに解答記入欄の大きさが異なるレイアウトとなっている。
【００３５】
答案用紙データ生成アプリケーション２０４は、答案用紙作成用装置２のＬＣＤ６０上に図５に示すような答案用紙データを表示させて、採点者が設問数に応じて解答記入欄を追加・削除したり、解答記入欄の大きさやレイアウトを調整したりする操作を行うことにより、その操作を答案用紙データに反映させる。答案用紙データ生成アプリケーション２０４は、このように生成された答案用紙データを、データサーバ４の答案用紙データ記憶部４０１に記憶させる。
【００３６】
図６は、答案用紙データ記憶部４０１に記憶されている答案用紙データのテーブルを例示する図である。図６に示すように、答案用紙データ記憶部４０１は、答案用紙データを識別する情報（例えば、図６においては科目名）と答案用紙データとを関連付けて記憶する。例えば、答案用紙データは画像ファイルとして記憶されており、図５に示した社会科の答案用紙画像ファイル名は“ａａａ．ｊｐｇ”である。なお、答案用紙データは、一般的なワープロソフト等で表示可能なテキストファイル形式や専用のアプリケーション固有のファイル形式等でもよく、データ形式は問わない。
【００３７】
画像処理装置１は、このように答案用紙データ記憶部４０１に記憶されている答案用紙データを取得して用紙に印刷する。そして、試験を実施する際に印刷された答案用紙が解答者に配布され、解答者によってそれぞれの答案用紙の記入欄に受験番号や解答が記入される。
【００３８】
また、答案用紙データ生成アプリケーション２０４は、生成された答案用紙データにおける受験番号記入欄及び解答記入欄等の記入領域のレイアウト情報を、データサーバ４のレイアウト情報記憶部４０２に記憶させる。図７は、図４に示した社会科の答案用紙データにおける記入領域を強調した図である。図４に示した社会科の答案用紙データにおいては、図７に示すように、記入領域は、太線で囲まれた受験番号欄及び１３個の解答記入欄であり、各記入領域に示した“受験番号”や“１−１−（１）”等の設問番号は、それぞれの記入領域名である。なお、設問番号は、“大問番号−中問番号−小問番号”で表現するものとする。
【００３９】
図８は、レイアウト情報記憶部４０２に記憶されているレイアウト情報テーブルを例示する図である。図８に示すように、レイアウト情報は、記入領域ごとに領域名、領域座標ｘ１、領域座標ｙ１、領域座標ｘ２、領域座標ｙ２及び識別用フラグが関連付けられている。また、各レイアウト情報は、答案用紙データと関連付けられている。例えば、図８に示すように、答案用紙画像ファイル名が“ａａａ．ｊｐｇ”の答案用紙データに含まれる受験番号記入欄及び解答記入欄のレイアウト情報が関連付けられている。
【００４０】
領域座標ｘ１及び領域座標ｙ１は、記入領域である矩形領域の左上の頂点座標を示し、領域座標ｘ２及び領域座標ｙ２は、記入領域である矩形領域の右下の頂点座標を示す。また、ｘ座標は答案の横軸方向の座標を示し、ｙ座標は答案の縦軸方向の座標を示す。例えば、図８に示すように、図４に示した答案用紙画像ファイル“ａａａ．ｊｐｇ”の答案用紙データにおいては、受験番号の記入領域が左上頂点座標（５３８、３２）、右上頂点座標（８０２、８６）の矩形領域であり、設問１−１−（１）の記入領域が左上頂点座標（１６７、１５９）、右上頂点座標（４３１，２０６）の矩形領域である。
【００４１】
識別用フラグは、記入領域が、同じ答案用紙データの複数の解答済答案用紙の中から一意に解答済答案用紙を識別する情報（以下、「答案識別情報」とする）を取得できる領域か否かを判別する情報である。例えば、識別用フラグは、答案識別情報を取得できる領域である場合は“ＴＲＵＥ”を示し、それ以外の場合は“ＦＡＬＳＥ”を示す。例えば、答案用紙画像ファイル“ａａａ．ｊｐｇ”を用紙に印刷した答案用紙に解答が記入された解答済答案用紙は、記入された受験番号によって一意に識別できるので、図８に示すように、受験番号の記入領域に関連付けられた識別用フラグが“ＴＲＵＥ”であり、受験番号の記入領域に記入された受験番号が答案識別情報となる。
【００４２】
このようなレイアウト情報は、例えば、答案用紙データ生成アプリケーション２０４を介して、答案作成者により生成される。その他、答案用紙データ生成アプリケーション２０４が、生成された答案用紙データに含まれる矩形領域を抽出して位置情報を取得するとともに、設問番号を画像認識する等して、レイアウト情報を生成してもよい。
【００４３】
なお、上述したような答案用紙データの生成・編集やレイアウト情報を生成する答案用紙データ生成アプリケーションは、これらの処理を行う専用のアプリケーションであってもよいし、一般的なワープロソフトやデータベースへのアクセスソフト等を組み合わせたものであってもよい。
【００４４】
次に、本実施形態に係る採点用装置３の機能について説明する。図９は、本実施形態に係る採点用装置３の機能構成を示すブロック図である。図９に示すように、本実施形態に係る採点用装置３は、図２において説明したＬＣＤ６０、操作部７０に加えて、コントローラ３００及びネットワークＩ／Ｆ３１０を含む。また、コントローラ３００は、ネットワーク制御部３０１、操作制御部３０２、表示制御部３０３及び採点用アプリケーション３３０を含む。また、採点用アプリケーション３３０は、採点用画面生成部３３１及び採点画像情報取得部３３２を含む。
【００４５】
ネットワークＩ／Ｆ３１０、ネットワーク制御部３０１、操作制御部３０２及び表示制御部３０３は、上述したネットワークＩ／Ｆ２１０、ネットワーク制御部２０１、操作制御部２０２及び表示制御部２０３と同様な処理を行う。コントローラ３００は、ソフトウェアとハードウェアとの組み合わせによって構成される。コントローラ３００は、採点用装置３全体を制御する制御部である。
【００４６】
採点用アプリケーション３３０は、採点用装置３にインストールされて動作するソフトウェア・プログラムであり、読取画像情報記憶部４０３に記憶されている解答済答案用紙の読取画像に基づいて、解答済答案用紙の採点処理を行うためのアプリケーションである。以下、採点用アプリケーション３３０による処理の詳細を、採点用画面生成部３３１及び採点画像情報取得部３３２の処理に分けて説明する。
【００４７】
採点用画面生成部３３１は、採点用装置３の表示部であるＬＣＤ６０等に表示するための採点用画面を生成する表示画面生成部である。採点用画面は、採点対象となる答案用紙データの解答済答案用紙の読取画像に基づいて採点対象となる設問番号に対する解答の画像を並べた画面である。
【００４８】
図１０は、解答済答案用紙の読取画像を例示する図である。例えば、図１０に示した読取画像は、社会科の答案用紙の記入欄に受験番号“１−２−３４”の解答者が記入した解答済答案用紙が画像処理装置１のスキャナ機能により読み取られて生成されている。
【００４９】
図１１は、採点用画面生成部３３１により生成された採点用画面を例示する図である。例えば、ある採点者が担当する採点対象の解答が社会科の設問１−１−（１）である場合、採点用画面生成部３３１は、社会科の複数の解答済答案用紙の読取画像から図１０に示した読取画像のうち太線で囲まれた設問番号１−１−（１）の記入領域の画像を取得して並べた採点用画面を生成する。そして、採点用画面生成部３３１は、生成した採点用画面を、図１１に示すように採点用装置３のＬＣＤ６０に表示させる。
【００５０】
図１１に示した採点用画面には、６人の解答者Ａさん〜Ｆさんが記入した設問番号１−１−（１）の解答の画像が含まれている。なお、本実施形態においては、採点用画面に同時に表示される解答の数は６つであるが、これに限定されるものではなく、採点用装置３のＬＣＤ６０の大きさや解答欄の大きさ等に応じて、適宜変更される。また、同時に表示される数以上の解答がある場合、残りの解答がＬＣＤ６０に対するスクロール操作やスワイプ操作等により表示されるようにしてもよい。
【００５１】
以下、採点用画面生成部３３１が図１１に示した採点用画面を生成する具体的な処理を説明する。図１２は、採点用画面生成部３３１による採点用画面の生成処理を例示するフローチャートである。図１２に示すように、採点用画面生成部３３１は、採点対象となる答案用紙画像のファイル名を取得する（Ｓ１２００）。また、採点用画面生成部３３１は、採点対象となる設問番号を取得する（Ｓ１２０１）。
【００５２】
具体的には、例えば、採点者が採点用アプリケーション３３０を起動させると、図１３に示すような画面が表示され、採点者は、採点対象となる答案用紙画像のファイル名及び設問番号を入力して、「採点開始」ボタンを押下する。すると、採点用画面生成部３３１は、入力された答案用紙画像のファイル名及び設問番号を取得する（Ｓ１２００、Ｓ１２０１）。
【００５３】
なお、採点対象となる答案用紙画像のファイル名ではなく、試験の種類を入力するようにしてもよい。この場合、例えば、試験の種類として科目名が入力されると、採点用画面生成部３３１は、答案用紙データ記憶部４０１に記憶されている答案用紙データを参照して、入力された科目名に関連付けられている答案用紙画像のファイル名を採点対象となる答案用紙画像のファイル名として取得する。また、図１３に示した入力画面において、例えば、プルダウンメニュー等により、採点対象となるファイル名や設問番号のリストから選択できるようにしてもよい。
【００５４】
採点対象となる答案用紙画像のファイル名及び設問番号を取得した採点用画面生成部３３１は、読取画像情報記憶部４０３に記憶されている読取画像情報から採点対象となる解答済答案用紙の読取画像を取得する（Ｓ１２０２）。以下、具体的な読取画像の取得処理を説明する。まず、読取画像情報記憶部４０３に記憶されている読取画像情報について説明する。
【００５５】
図１４は、読取画像情報記憶部４０３に記憶されている読取画像情報を例示する図である。図１４に示すように、読取画像情報は、読取画像を識別するＩＤ、読取画像ファイル、位置ずれｘ、位置ずれｙ、傾きが関連付けられている。また、各読取画像情報は、答案用紙データと関連付けられている。例えば、図１４に示すように、答案用紙画像ファイル名が“ａａａ．ｊｐｇ”の答案用紙データが印刷された答案用紙に解答が記入された複数の解答済答案用紙の読取画像が関連付けられている。例えば、図１０に示した読取画像は、読取画像情報の１つに含まれる読取画像（例えば、“ａａａ＿００１．ｊｐｇ“）として読取画像情報記憶部４０３に記憶されている。
【００５６】
読取画像情報に含まれる位置ずれｘは、解答済答案用紙とその読取画像とを重ね合わせた場合の用紙のｘ軸（横軸）方向の位置ずれ量を示し、位置ずれｙは、用紙のｙ軸（縦軸）方向の位置ずれ量を示す。傾きは、解答済答案用紙とその読取画像とを重ね合わせた場合の傾き（角度）を示す。この位置ずれｘ、位置ずれｙ及び傾きを含む情報を「位置ずれ情報」とする。
【００５７】
採点用画面生成部３３１は、図１４に示した読取画像情報から、取得した答案用紙画像のファイル名と関連付けられた読取画像ファイルを取得する。例えば、採点用画面生成部３３１は、答案用紙の画像ファイル名“ａａａ．ｊｐｇ”を取得した場合、図１４に示した“ａａａ＿００１．ｊｐｇ”、“ａａａ＿００２．ｊｐｇ、”ａａａ＿００３．ｊｐｇ“及び”ａａａ＿００４．ｊｐｇ、・・・の複数の読取画像を取得する。
【００５８】
読取画像を取得した採点用画面生成部３３１は、取得した読取画像それぞれから、答案識別情報を取得する（Ｓ１２０３）。具体的には、採点用画面生成部３３１は、まず、レイアウト情報記憶部４０２に記憶されている図８に示したレイアウト情報を参照して、採点対象の答案用紙画像“ａａａ．ｊｐｇ”において識別用フラグが“ＴＲＵＥ”である領域すなわち受験番号の記入領域を、答案識別情報を取得する領域として特定する。そして、採点用画面生成部３３１は、受験番号の記入領域の領域情報（領域座標ｘ１、ｙ１、ｘ２、ｙ２）が示す領域の読取画像に対する文字認識処理等により認識された情報を答案識別情報として取得する。例えば、図１０に示した読取画像の答案識別情報は“１−２−３４”である。
【００５９】
答案識別情報を取得した採点用画面生成部３３１は、Ｓ１２０２において取得した読取画像それぞれから、Ｓ１２０１において取得した採点対象となる設問番号の解答が記入されている領域（以下、「採点対象領域」とする）の画像を取得する（Ｓ１２０４）。具体的には、採点用画面生成部３３１は、レイアウト情報記憶部４０２に記憶されている図８に示したレイアウト情報を参照して、採点対象となる設問番号の領域名と関連付けられている領域情報が示す領域の画像を、読取画像それぞれから取得する。例えば、採点対象となる設問番号が“１−１−（１）”である場合、採点用画面生成部３３１は、図１０に示した読取画像から太線で囲まれた領域の画像を取得する。
【００６０】
採点対象領域の画像を取得した採点用画面生成部３３１は、取得した採点対象領域の画像の元となる読取画像からＳ１２０３において取得した答案識別情報を、対応する採点対象領域の画像に対して付加する（Ｓ１２０５）。例えば、図１０に示した読取画像から取得された太線で囲まれた採点対象領域の画像に対して、答案識別情報である受験番号“１−２−３４”を付加する。
【００６１】
なお、答案識別情報を採点対象領域の画像に付加する構成は例示であり、採点対象領域の画像ファイルや画像ファイル名と答案識別情報とを関連付けて記憶媒体等に記憶しておくといったように、採点対象領域の画像ファイルや画像ファイル名から何らかの方法で答案識別情報が取得できる構成であればよい。
【００６２】
採点対象領域の画像に対して答案識別情報を付加した採点用画面生成部３３１は、複数の解答済答案の読取画像から取得した複数の採点対象領域の画像を含む採点用画面を生成する（Ｓ１２０６）。採点用画面生成部３３１は、このように生成された採点用画像を、図１１に示すように採点用装置３のＬＣＤ６０に表示させる。
【００６３】
なお、上記実施形態においては、採点用画面生成部３３１は、レイアウト情報に含まれる領域情報が示す領域の画像を読取画像から取得して採点対象領域の画像としている（図１２のＳ１２０４）。この際、採点用画面生成部３３１は、読取画像情報記憶部４０３に記憶されている読取画像情報に含まれる位置ずれ量や傾き量を考慮して、採点対象領域の画像を取得してもよい。この場合、例えば、採点用画面生成部３３１は、レイアウト情報に含まれる領域情報が示す座標値から位置ずれ量や傾き量に基づいて座標値を補正し、補正された座標値が示す領域の画像を読取画像から取得して採点対象領域の画像とする。これにより、採点用画面生成部３３１は、より精度よく採点対象の画像を取得することができる。
【００６４】
また、図１２に示したフローチャートにおける処理の順序は、これに限定されるものではなく、適宜入れ替わってもよい。例えば、採点対象の設問番号を取得する処理（Ｓ１２０１）は、採点対象領域の画像を取得する処理（Ｓ１２０４）の前に行われればよく、読取画像を取得する処理（Ｓ１２０２）よりも後に行われてもよい。また、例えば、答案識別情報を取得する処理（Ｓ１２０３）は、採点対象領域の画像に答案識別情報を付加する処理（Ｓ１２０５）の前に行われればよく、採点対象領域の画像を取得する処理（Ｓ１２０４）の後に行われてもよい。
【００６５】
次に、採点画像情報取得部３３２の処理について説明する。採点画像情報取得部３３２は、上述した採点用画面生成部３３１により生成されてＬＣＤ６０に表示された採点用画面を介して採点者がタッチペン等により入力した採点画像に関する情報を取得する。採点画像は、例えば、赤色で表示された正解を示す○印や不正解を示す×印等の採点結果を示す画像である。
【００６６】
図１５は、採点画像情報取得部３３２による採点画像情報取得処理を例示するフローチャートである。図１５に示すように、採点画像情報取得部３３２は、採点者が図１１に示した採点用画面を介して行った採点画像を入力する採点対象領域の選択操作を受け付ける（Ｓ１５００）。例えば、採点者が採点用画面を介してＡさんの解答（図１１に示した採点用画面上で一番上に配置されている採点対象領域画像）を採点する場合、タッチペン等でＡさんの解答を含む採点対象領域のいずれかの場所をタッチする等の選択操作により、図１６に示すように選択された領域が点線で囲まれる。
【００６７】
なお、選択された採点対象領域の表示態様は、図１６に示した態様に限定されるものではなく、例えば、選択された採点対象領域以外の部分を暗めに表示する態様等、いずれの採点対象領域が選択されているのかを認識できる態様であればよい。
【００６８】
採点対象領域の画像の選択操作を受け付けた採点画像情報取得部３３２は、選択されている採点対象領域に含まれる解答に対して入力された採点画像を取得する（Ｓ１５０１）。すなわち、採点画像情報取得部３３２は、採点画像を取得する採点画像取得部として機能する。例えば、図１６に示すように、採点者がＡさんの解答に対して採点画像（図１６においては花丸印）を入力すると、採点画像情報取得部３３２は、例えば図１７に示す点線で囲まれた矩形領域の画像を、入力された採点画像として取得する。また、採点画像において入力された線（図１７に示した花丸印を描画する線）以外の部分は透過処理される。
【００６９】
採点画像を取得した採点画像情報取得部３３２は、取得した採点画像の位置情報を取得する（Ｓ１５０２）。ここでの位置情報は、Ｓ１５００において選択操作を受け付けた採点対象領域の画像を基準とした解答の記入領域の位置と採点画像の位置との位置の関係を示す相対位置情報を示す。すなわち、採点画像情報取得部３３２は、採点画像の相対位置情報を取得する相対位置情報取得部として機能する。
【００７０】
図１８は、図１６に示したＡさんの解答に対する採点画像を含む採点対象領域を拡大した図である。図１８に示すように、採点対象領域の左上の頂点座標を基準座標（０、０）とした採点画像の左上の頂点座標（７５、−３６）が採点画像の位置情報となる。
【００７１】
採点画像及び採点画像の位置情報を取得した採点画像情報取得部３３２は、取得した採点画像及び採点画像の位置情報を、採点画像情報としてデータサーバ４の採点画像情報記憶部４０４に記憶させる（Ｓ１５０３）。その際、採点画像情報取得部３３２は、採点画像情報を、選択操作を受け付けた採点対象領域画像に付加されている答案識別情報と関連付けて採点画像情報記憶部４０４に記憶させる。
【００７２】
採点画像情報の記憶処理を行った採点画像情報取得部３３２は、採点処理が終了したと判断した場合（Ｓ１５０４／ＹＥＳ）、処理を終了し、採点処理が終了していない場合（Ｓ１５０４／ＮＯ）、Ｓ１５００からの処理を繰り返す。採点処理が終了したか否かは、例えば、採点者が採点用画面に表示されている図示しない「採点終了」ボタンが押下されることによる通知により判断される。その他、採点用画面に含まれるすべての採点対象領域に対して入力された採点画像を取得したか否かにより判断されてもよい。
【００７３】
図１９は、採点処理終了後の採点用装置３のＬＣＤ６０に表示されている採点用画面を例示する図である。図１９に示すように、採点処理が終了すると、採点用画面は、採点対象領域それぞれに対して採点画像が入力された状態になる。また、図１９に示した採点用画面において、タッチペン等で採点対象領域が選択されると、選択された採点対象領域に入力された採点画像のみを表示したり非表示にしたりするようにしてもよい。
【００７４】
図２０は、採点画像情報記憶部４０４に記憶されている採点画像情報のテーブルを例示する図である。図２０に示すように、図１５に示した処理により取得された採点画像、採点画像の相対位置情報である相対座標ｘ及び相対座標ｙが、その採点画像が入力された採点対象領域の領域名と関連付けられている。また、各採点対象領域の採点画像情報と、Ｓ１２０５において採点対象領域の画像に付加された答案識別情報である受験番号とが関連付けられている。
【００７５】
例えば、図２０に示すように、受験番号“１−２−３４”の解答者が記入した解答済答案用紙の設問“１−１−（１）”（例えば、図１９に示したＡさんの解答）に対する採点画像“ｍ１１１．ｊｐｇ”は、設問１−１−（１）の記入領域の位置を基準とした相対位置（７５、−３６）に記入されている。
【００７６】
なお、上記実施形態においては、採点対象領域を選択するための操作が行われているが、採点対象領域に含まれる解答に対して採点画像が入力されると、採点画像情報取得部３３２は、例えば、入力された採点画像の位置と最も近い場所に位置する採点対象領域を、選択されている採点対象領域として認識するようにしてもよい。
【００７７】
次に、本実施形態に係る画像処理装置１の主制御部１３０の機能のうち採点用装置３における採点処理及び採点処理により取得された採点画像情報に基づく処理に関連する機能について説明する。図２１は、本実施形態に係る主制御部１３０の採点処理及び採点画像情報に基づく処理に関連する機能の構成を例示するブロック図である。図２１に示すように、本実施形態に係る主制御部１３０は、読取画像取得部１３１、読取画像記憶処理部１３２及び印刷画像生成部１３３を含む。なお、図２１においては、採点処理及び採点画像情報に基づく処理に関連する機能以外の機能の構成の図示を省略している。
【００７８】
読取画像取得部１３１は、解答済答案用紙が画像処理装置１のスキャナ機能により読み取られて生成された読取画像を取得する。なお、解答済答案用紙の読取画像は、採点用装置３において電子採点を行う際に生成される場合と、電子採点により入力された採点画像を解答済答案用紙に反映させる際に生成される場合とがある。また、採点画像を解答済答案用紙に反映させるとは、例えば、採点用装置３に表示される採点用画面において設問ごとに表示された解答に対して入力された採点画像を、解答済答案用紙に記入されている解答の位置に合わせて印刷することを意味する。
【００７９】
読取画像記憶処理部１３２は、採点用装置３において電子採点を行う際に生成された読取画像を読取画像取得部１３１から取得し、読取画像及び読取画像の位置ずれ量を、図１４に示したように読取画像情報記憶部４０３に記憶させる。読取画像の位置ずれ量は、例えば、読取画像と読取画像に含まれる科目名や記入欄のレイアウト等が一致する答案用紙データとを重ね合わせて、記入欄の頂点座標の値を比較することにより算出される。
【００８０】
印刷画像生成部１３３は、採点画像を解答済答案用紙に反映させるための印刷画像を生成する。以下、印刷画像生成部１３３による印刷画像生成処理について、図２２を参照して説明する。図２２は、印刷画像生成部１３３による印刷画像生成処理を例示するフローチャートである。
【００８１】
図２２に示すように、印刷画像生成部１３３は、採点画像を反映させる際に生成された読取画像を読取画像取得部１３１から取得する（Ｓ２２００）。読取画像を取得した印刷画像生成部１３３は、取得した読取画像の答案用紙データを特定する（Ｓ２２０１）。具体的には、例えば、印刷画像生成部１３３は、取得した読取画像と答案用紙データ記憶部４０１に記憶されている答案用紙データとを比較して、科目名や記入欄のレイアウト等が一致する答案用紙データを読取画像の答案用紙データと特定する。
【００８２】
なお、上記実施形態においては、印刷画像生成部１３３が読取画像と答案用紙データ記憶部４０１に記憶されている答案用紙データとに基づいて、読取画像の答案用紙データを特定する場合を例として説明している。しかしながら、これは一例であり、採点画像を反映させる解答済用紙を画像処理装置１でスキャンする際に、採点者等がスキャンする解答済用紙の答案用紙画像のファイル名や試験の種類を指定する等、何らかの方法により印刷画像生成部１３３が読取画像の答案用紙データを特定できればよい。
【００８３】
答案用紙データを特定した印刷画像生成部１３３は、取得した読取画像から答案識別情報を取得する（Ｓ２２０２）。具体的には、例えば、印刷画像生成部１３３は、特定された答案用紙データが“ａａａ．ｊｐｇ”である場合、レイアウト情報記憶部４０２に記憶されている図８に示したレイアウト情報を参照して、“ａａａ．ｊｐｇ”において識別用フラグが“ＴＲＵＥ”である領域すなわち受験番号の記入領域を、答案識別情報を取得する領域として特定する。
【００８４】
そして、印刷画像生成部１３３は、受験番号の記入領域の領域情報（領域座標ｘ１、ｙ１、ｘ２、ｙ２）が示す領域の読取画像に対する文字認識処理等により認識された情報を答案識別情報として取得する。例えば、図１０に示した読取画像の答案識別番号は“１−２−３４”である。
【００８５】
答案識別情報を取得した印刷画像生成部１３３は、採点画像情報記憶部４０４に記憶されている図２０に示した採点画像情報を参照して、取得した答案識別番号“１−２−３４”と関連付けられている採点画像情報を取得する（Ｓ２２０３）。
【００８６】
採点画像情報を取得した印刷画像生成部１３３は、取得した採点画像情報に基づいて、Ｓ２２００において取得された読取画像が生成された解答済答案用紙における各設問の解答に対して採点画像が付与されるよう採点画像を配置した配置画像を生成する（Ｓ２２０４）。
【００８７】
図２３は、採点画像の配置画像を例示する図である。印刷画像生成部１３３は、採点用装置３に表示された採点用画面を介して設問ごとに入力された採点画像を、各設問の解答の位置に合わせて配置した図２３に示すような配置画像を生成する。すなわち、印刷画像生成部１３３は、配置画像を生成する配置画像生成部として機能する。以下、具体的な配置画像の生成処理を、図２４を参照して説明する。また、以下、採点画像を反映させたい解答済答案用紙の答案用紙データは、“ａａａ．ｊｐｇ”の画像ファイルである場合を具体例として説明する。
【００８８】
図２４は、印刷画像生成部１３３による配置画像の生成処理を例示するフローチャートである。図２４に示すように、印刷画像生成部１３３は、レイアウト情報記憶部４０２に記憶されている図８に示したレイアウト情報を参照して、“ａａａ．ｊｐｇ”に関連付けられている設問に対する解答の記入領域の位置を示す記入領域位置情報を取得する（Ｓ２４００）。例えば、設問１−１−（１）の解答記入領域の左上の頂点座標（１６７、１５９）及び右下の頂点座標（４３１、２０６）が取得される。すなわち、印刷画像生成部１３３は、記入領域位置情報を取得する記入領域位置情報取得部として機能する。
【００８９】
解答記入領域の位置情報を取得した印刷画像生成部１３３は、Ｓ２２０３において取得した採点画像情報のうち、取得した位置情報と同じ設問番号の採点画像情報の相対位置情報を取得する（Ｓ２４０１）。例えば、設問１−１−（１）の解答に対する採点画像の相対座標（７５、−３６）が取得される。
【００９０】
解答記入領域の位置情報及び採点画像の相対位置情報を取得した印刷画像生成部１３３は、取得した解答記入領域の位置情報の左上の頂点座標の各値に、取得した採点画像の相対座標の各値を加算した座標を、解答済答案用紙における採点画像の位置座標として算出する（Ｓ２４０２）。例えば、設問１−１−（１）の解答に対する採点画像の位置座標は、（１６７＋７５、１５９−３６）＝（２４２、１２３）となる。すなわち、印刷画像生成部１３３は、解答済答案用紙における採点画像の位置情報を取得する位置情報取得部として機能する。
【００９１】
なお、ここでは印刷画像生成部１３３が解答済答案用紙における採点画像の位置座標を算出する場合を例として説明したが、採点画像情報取得部３３２が解答済答案用紙における採点画像の位置座標を算出し、算出された位置座標が含まれる採点画像情報を採点画像情報記憶部４０４に記憶させてもよい。この場合、採点画像情報取得部３３２は、採点画像が解答済答案用紙において配置されるべき位置情報を取得する位置情報取得部としても機能する。また、この場合、印刷画像生成部１３３は、採点画像情報記憶部４０４に記憶されている採点画像情報から直接、解答済答案用紙における採点画像の位置座標を取得することができる。
【００９２】
解答済答案用紙における採点画像の位置座標を算出した印刷画像生成部１３３は、解答済答案用紙と同じサイズの領域において、算出した採点画像の位置座標が示す位置に採点画像を配置する（Ｓ２４０３）。そして、印刷画像生成部１３３は、すべての設問の解答に対する採点画像の配置を完了した場合（Ｓ２４０４／ＹＥＳ）、処理を終了し、未完了の場合（Ｓ２４０４／ＮＯ）、採点画像が配置されていない設問に対する処理を繰り返す。
【００９３】
印刷画像生成部１３３は、このように生成された採点画像の配置画像を印刷画像として出力する。そして、エンジン制御部１０１は、給紙テーブル１１４にセットされている記録媒体である解答済答案用紙上に、このように生成された図２３に示した印刷画像に基づく画像形成を実行する。これにより、図２５に示すように、解答済答案用紙上に各設問の解答に対する採点画像が印刷される。
【００９４】
以上説明したように、本実施形態に係る採点システムにおいては、複数の解答済答案用紙の読取画像から設問ごとに集められた解答の画像が表示された採点用画面を介して入力される各解答に対する採点画像の解答済答案用紙における位置情報を算出し、算出された位置情報に基づいて各設問の解答の位置に合わせて採点画像を配置した配置画像を生成して解答済答案用紙上に印刷する。これにより、複数の解答済答案用紙の読取画像から設問ごとに集められた解答の画像が表示された画面を介して採点する際に入力される各解答に対する採点画像を各解答済答案用紙上に反映可能とすることできる。
【００９５】
なお、上記実施形態においては、採点画像を配置した配置画像を印刷画像とし、解答済答案用紙上に印刷する場合を例として説明した。その他、採点時に読取画像情報記憶部４０３に記憶された解答済答案用紙の読取画像と配置画像とを合成した採点済答案用紙の画像を記録媒体である白紙の印刷用紙に印刷するようにしてもよい。このような構成により、解答済答案用紙に採点画像を反映させる際に解答済答案用紙そのものがなくても、解答済答案用紙上に採点画像が印刷された印刷物と同様な印刷物を出力することができる。また、解答済答案用紙がある場合であっても、解答済答案用紙上に採点画像を反映させる際に、再度解答済答案用紙をスキャンする手間を省くことができる。
【００９６】
また、採点済答案用紙画像をデータサーバ４等に記憶させておき、記憶させている採点済答案用紙画像に基づく印刷処理を行えば、解答済答案用紙に採点画像を反映させた印刷物を何度も複製することができる。この場合は、採点済答案用紙画像を生成する際に、読取画像情報記憶部４０３に記憶されている解答済答案用紙の読取画像が用いられてもよいし、解答済答案用紙に採点画像を反映させる際にスキャンされた解答済答案用紙の読取画像が用いられてもよい。
【００９７】
また、本実施形態においては、解答済答案用紙に採点画像を反映させた印刷物を出力する場合を例として説明した。しかしながら、これは一例であり、解答済答案用紙の読取画像と配置画像とを合成した採点済答案用紙画像を、図２６のように画面上に表示して解答者が確認できるようにしてもよい。また、採点済答案用紙画像が解答者に対してメール等で送付されるようにしてもよい。このような構成により、解答者は採点済答案用紙そのものを物理的に受け取ることなく、採点済答案用紙の内容を確認することができるので、利便性が向上する。
【００９８】
また、上述のように画面上に表示された採点済答案用紙から図２７に示すように採点画像を非表示する操作ができるようにしてもよい。このような構成により、採点画像により元の解答が見えづらい等の場合に、採点画像を非表示にして解答を見やすくすることができる。また、非表示にした採点画像を再度表示させるようにしてもよい。また、採点画像すべてを非表示にするだけでなく、選択した採点画像のみを非表示にしたり、非表示にした採点画像を再度表示させたりするようにしてもよい。
【００９９】
すなわち、上記実施形態において、解答済答案用紙における採点画像の位置情報を算出して、算出した位置情報に基づいて採点画像が配置された配置画像を画像形成出力するための印刷画像を生成する印刷画像生成部１３３の他、上述のように算出した位置情報に基づいて採点画像が配置されて生成された配置画像を処理する構成部が、配置画像処理部として機能する。
【０１００】
また、上記実施形態においては、画像処理装置１、答案用紙作成用装置２、採点用装置３及びデータサーバ４の各部により採点用画面の生成、採点画像情報の取得、配置画像の生成、解答済答案用紙への配置画像の印刷等の処理が行われる場合を例として説明したが、このような装置の構成は一例である。例えば、これらの処理を１つの情報処理装置で行う構成であってもよい。また、例えば、答案用紙作成用装置２及び採点用装置３が１台の装置であってもよい。また、例えば、これらの処理を行う１つ以上の装置とプリンタ機能を有する画像処理装置とから構成される画像処理システムとしてもよい。
【０１０１】
また、上記実施形態において説明した装置とは異なる装置でこれらの処理を行うようにしてもよい。例えば、配置画像の生成処理を画像処理装置１ではなく採点用装置３で行われるようにしてもよいし、上記装置以外の別の装置で行われるようにしてもよい。また、データサーバ４に記憶される情報は、例えば、各装置の記憶媒体に記憶されてもよく、この場合、各装置間でネットワークを介して情報がやりとりされる。
【符号の説明】
【０１０２】
１  画像処理装置
２  答案用紙作成用装置
３  採点用装置
４  データサーバ
１０  ＣＰＵ
２０  ＲＡＭ
３０  ＲＯＭ
４０  ＨＤＤ
５０  Ｉ／Ｆ
６０  ＬＣＤ
７０  操作部
８０  バス
１００  コントローラ
１０１  エンジン制御部
１０２  ネットワーク制御部
１０３  画像処理部
１１０  ＡＤＦ
１１１  スキャナユニット
１１２  排紙トレイ
１１３  ディスプレイパネル
１１４  給紙テーブル
１１５  プリントエンジン
１１６  給紙トレイ
１１７  ネットワークＩ／Ｆ
１３０  主制御部
１３１  読取画像取得部
１３２  読取画像記憶処理部
１３３  印刷画像生成部
２００  コントローラ
２０１  ネットワーク制御部
２０２  操作制御部
２０３  表示制御部
２０４  答案用紙データ生成アプリケーション
２１０  ネットワークＩ／Ｆ
３００  コントローラ
３０１  ネットワーク制御部
３０２  操作制御部
３０３  表示制御部
３３０  採点用アプリケーション
３３１  採点用画面生成部
３３２  採点画像情報取得部
３１０  ネットワークＩ／Ｆ
４０１  答案用紙データ記憶部
４０２  レイアウト情報記憶部
４０３  読取画像情報記憶部
４０４  採点画像情報記憶部
【先行技術文献】
【特許文献】
【０１０３】
【特許文献１】特開２０００−１２２５１７号公報
【図１】
2015167001.tif 000003
【図２】
2015167001.tif 000004
【図３】
2015167001.tif 000005
【図４】
2015167001.tif 000006
【図５】
2015167001.tif 000007
【図６】
2015167001.tif 000008
【図７】
2015167001.tif 000009
【図８】
2015167001.tif 000010
【図９】
2015167001.tif 000011
【図１０】
2015167001.tif 000012
【図１１】
2015167001.tif 000013
【図１２】
2015167001.tif 000014
【図１３】
2015167001.tif 000015
【図１４】
2015167001.tif 000016
【図１５】
2015167001.tif 000017
【図１６】
2015167001.tif 000018
【図１７】
2015167001.tif 000019
【図１８】
2015167001.tif 000020
【図１９】
2015167001.tif 000021
【図２０】
2015167001.tif 000022
【図２１】
2015167001.tif 000023
【図２２】
2015167001.tif 000024
【図２３】
2015167001.tif 000025
【図２４】
2015167001.tif 000026
【図２５】
2015167001.tif 000027
【図２６】
2015167001.tif 000028
【図２７】
2015167001.tif 000029